(57)【要約】      （修正有）【課題】皮膚分類方法、化粧品の推薦方法及び皮膚分類カードを提供する。【解決手段】使用者の皮膚特性を使用者の紅斑初期値及び血管反応性に基づいて分類する皮膚分類方法であって、使用者の紅斑初期値及び血管反応性をそれぞれ測定する測定ステップと、測定した紅斑初期値及び血管反応性の数値に基づいて、予め作成した４種に分類された皮膚タイプのいずれかに分類されるか確定する皮膚タイプ確定ステップと、を含み、4種類に分類された皮膚タイプは複数の被験者の紅斑初期値及び血管反応性の測定値と皮膚特性との相関に基づいて分類されたものである。【選択図】なし【特許請求の範囲】
【請求項１】
使用者の皮膚特性を前記使用者の紅斑初期値及び血管反応性に基づいて分類する皮膚分類方法であって、
前記使用者の前記紅斑初期値及び前記血管反応性をそれぞれ測定する測定ステップと、
測定した前記紅斑初期値及び前記血管反応性の数値に基づいて、予め作成した４種に分類された皮膚タイプのいずれかに分類されるか確定する皮膚タイプ確定ステップと、を含み、
前記４種類に分類された皮膚タイプは複数の被験者の紅斑初期値及び血管反応性の測定値と皮膚特性との相関に基づいて分類されたものである、
皮膚分類方法。
【請求項２】
皮膚特性がメラニン色素含量、ヘモグロビン含量、経表皮水分蒸散量、角質層水分含量、カジュアル皮脂量、回復皮脂分泌量、皮膚弾性、皮膚の色である、請求項１記載の皮膚分類方法。
【請求項３】
測定ステップでは、皮膚メラニン色素・ヘモグロビン計測機器によって前記使用者の皮膚を複数回押し、一回毎に押した後の紅斑値を測定し、測定した複数の紅斑値の最小値を前記紅斑初期値と定義し、測定した複数の紅斑値の最大値と最小値との差を前記血管反応性と定義する、請求項１又は２記載の皮膚分類方法。
【請求項４】
４種に分類された皮膚タイプが、予め測定した複数の被験者の紅斑初期値と血管反応性の平均値を原点とし、紅斑初期値を横軸、血管反応性を縦軸とする直交座標により作成される４つの象限であり、第１象限を第１の皮膚タイプ、第２象限を第２の皮膚タイプ、第３象限を第３の皮膚タイプ、第４象限を第４の皮膚タイプとする、請求項１〜３のいずれか１項記載の皮膚分類方法。
【請求項５】
第１の皮膚タイプの特性が、メラニン色素含量及びヘモグロビン含量が大きい、皮膚弾性が低い、皮膚の色が暗紅色であると定義され、
第２の皮膚タイプの特性が、メラニン色素含量及びヘモグロビン含量が小さい、経表皮水分蒸散量が小さい、皮脂分泌量が小さい、皮膚弾性が高いと定義され、
第３の皮膚タイプの特性が、メラニン色素含量及びヘモグロビン含量が小さい、皮膚の色がライトイエローであり、皮脂分泌量が小さいと定義され、
第４の皮膚タイプの特性が、メラニン色素含量及びヘモグロビン含量が大きい、経表皮水分蒸散量が大きい、皮脂分泌量が大きい、皮膚弾性が低いと定義される、
請求項４記載の皮膚分類方法。
【請求項６】
測定ステップにおいて、皮膚メラニン色素・ヘモグロビン計測機器によって押される部位は、額、鼻翼、顔、口元、首部から選ばれる少なくとも任意の一つの部位である、請求項１〜５のいずれか１項記載の皮膚分類方法。
【請求項７】
使用者の皮膚特性を前記使用者の紅斑初期値及び血管反応性に基づいて分析して前記使用者に適した化粧品を推薦する化粧品の推薦方法であって、
前記使用者の前記紅斑初期値及び前記血管反応性をそれぞれ測定する測定ステップと、
測定した前記紅斑初期値及び前記血管反応性の数値に基づいて、予め作成した４種に分類された皮膚タイプのいずれかに分類されるか確定する皮膚タイプ確定ステップと、
前記分類した皮膚タイプに基づき、前記使用者に適した化粧品を推薦する化粧品推薦ステップと、を含み、
前記４種類に分類された皮膚タイプは複数の被験者の紅斑初期値及び血管反応性の測定値と皮膚特性との相関に基づいて分類されたものである、
化粧品の推薦方法。
【請求項８】
皮膚特性がメラニン色素含量、ヘモグロビン含量、経表皮水分蒸散量、角質層水分含量、カジュアル皮脂量、回復皮脂分泌量、皮膚弾性、皮膚の色である、請求項７記載の化粧品の推薦方法。
【請求項９】
測定ステップでは、皮膚メラニン色素・ヘモグロビン計測機器によって前記使用者の皮膚を複数回押し、一回毎に押した後の紅斑値を測定し、測定した複数の紅斑値の最小値を前記紅斑初期値と定義し、測定した複数の紅斑値の最大値と最小値との差を前記血管反応性と定義する、請求項７又は８記載の化粧品の推薦方法。
【請求項１０】
４種に分類された皮膚タイプが、予め測定した複数の被験者の紅斑初期値と血管反応性の平均値を原点とし、紅斑初期値を横軸、血管反応性を縦軸とする直交座標により作成される４つの象限であり、第１象限を第１の皮膚タイプ、第２象限を第２の皮膚タイプ、第３象限を第３の皮膚タイプ、第４象限を第４の皮膚タイプとする、請求項７〜９のいずれか１項記載の皮膚分類方法。
【請求項１１】
第１の皮膚タイプの特性が、メラニン色素含量及びヘモグロビン含量が大きい、皮膚弾性が低い、皮膚の色が暗紅色であると定義され、
第２の皮膚タイプの特性が、メラニン色素含量及びヘモグロビン含量が小さい、経表皮水分蒸散量が小さい、皮脂分泌量が小さい、皮膚弾性が高いと定義され、
第３の皮膚タイプの特性が、メラニン色素含量及びヘモグロビン含量が小さい、皮膚の色がライトイエローであり、皮脂分泌量が小さいと定義され、
第４の皮膚タイプの特性が、メラニン色素含量及びヘモグロビン含量が大きい、経表皮水分蒸散量が大きい、皮脂分泌量が大きい、皮膚弾性が低いと定義される、
請求項１０記載の皮膚分類方法。
【請求項１２】
測定ステップにおいて、皮膚メラニン色素・ヘモグロビン計測機器によって押される部位は、額、鼻翼、顔、口元、首部から選ばれる少なくとも任意の一つの部位である、請求項７〜１１のいずれか１項記載の化粧品の推薦方法。
【請求項１３】
使用者に自身の皮膚タイプを前記使用者の紅斑初期値及び血管反応性に基づいて表示するための皮膚分類カードであって、
前記皮膚分類カードの一方の面に予め作成した４種に分類された皮膚タイプが表示されており、
前記使用者は、前記紅斑初期値及び前記血管反応性をそれぞれ測定し、測定した前記紅斑初期値及び前記血管反応性の数値に基づいて、前記４種に分類された皮膚タイプのいずれかに分類されるか確定し、
前記４種類に分類された皮膚タイプは複数の被験者の紅斑初期値及び血管反応性の測定値と皮膚特性との相関に基づいて分類されたものである、
皮膚分類カード。
【請求項１４】
４種に分類された皮膚タイプが、予め測定した複数の被験者の紅斑初期値と血管反応性の平均値を原点とし、紅斑初期値を横軸、血管反応性を縦軸とする直交座標により作成される４つの象限であり、第１象限を第１の皮膚タイプ、第２象限を第２の皮膚タイプ、第３象限を第３の皮膚タイプ、第４象限を第４の皮膚タイプとする、請求項１３記載の皮膚分類カード。
【請求項１５】
前記皮膚分類カードの一方の面又は他方の面に「第１の皮膚タイプ：メラニン色素含量及びヘモグロビン含量が大きい、皮膚弾性が低い、皮膚の色が暗紅色である；第２の皮膚タイプ：メラニン色素含量及びヘモグロビン含量が小さい、経表皮水分蒸散量が小さい、皮脂分泌量が小さい、皮膚弾性が高い；第３の皮膚タイプ：メラニン色素含量及びヘモグロビン含量が小さい、皮膚の色がライトイエローであり、皮脂分泌量が小さい；第４の皮膚タイプ：メラニン色素含量及びヘモグロビン含量が大きい、経表皮水分蒸散量が大きい、皮脂分泌量が大きい、皮膚弾性が低い」と表示されている、請求項１３又は１４記載の皮膚分類カード。
【発明の詳細な説明】
【技術分野】
【０００１】
本発明は、皮膚分類方法、化粧品の推薦方法及び皮膚分類カードに関する。
【背景技術】
【０００２】
スキンケアや皮膚美容においては、通常、各種の計測機器を利用して皮膚の生理パラメータであるメラニン色素含量、ヘモグロビン含量、経表皮水分蒸散量、 角質層水分含量、カジュアル皮脂量、回復皮脂分泌量、皮膚弾性、皮膚の色といった各種のパラメータを測定して、使用者の皮膚特性を判断し、さらに使用者に適した化粧品や美容製品を推薦する方法が採用されている（例えば、特許文献１〜３）。
【０００３】
しかしながら、上記の方法では、各種の計測機器を利用する必要があるため、各種の計測機器の使用による操作が煩雑であり、使用者にスキンケアや皮膚美容を簡単且つ快速に提供することができないという問題がある。
【先行技術文献】
【特許文献】
【０００４】
【特許文献１】特開２０１１−８７９０７号公報
【特許文献２】特開平９−３８０４５号公報
【特許文献３】特開２０１１−０４５４５８号公報
【発明の概要】
【発明が解決しようとする課題】
【０００５】
本発明は、上記の問題に鑑みてなされたものであり、使用者に適したスキンケアや皮膚美容を簡単且つ快速に提供することができる皮膚分類方法、化粧品の推薦方法及び皮膚分類カードを提供することに関する。
【課題を解決するための手段】
【０００６】
本発明者らは、皮膚メラニン色素・ヘモグロビン計測機器Ｍｅｘａｍｅｔｅｒを用いて、標本として抽出された３１２名の被験者に対しそれぞれ紅斑値を測定する過程において、被験者の測定部位を複数回押し、一回毎に押した後の紅斑値を測定して得られた複数の紅斑値が、異なる折れ線で変化することを発見した。そこで、測定した複数の紅斑値の最小値を紅斑初期値と定義し、測定した複数の紅斑値の最大値と最小値との差を血管反応性と定義したところ、そのような紅斑初期値及び血管反応性と被験者の皮膚特性（具体的に、メラニン色素含量、ヘモグロビン含量、経表皮水分蒸散量、 角質層水分含量、カジュアル皮脂量、回復皮脂分泌量、皮膚弾性、皮膚の色など）との間に相関性があることを見出した
【０００７】
すなわち、本発明は、以下の１）〜３）に係るものである。
１）使用者の皮膚特性を前記使用者の紅斑初期値及び血管反応性に基づいて分類する皮膚分類方法であって、
前記使用者の前記紅斑初期値及び前記血管反応性をそれぞれ測定する測定ステップと、
測定した前記紅斑初期値及び前記血管反応性の数値に基づいて、予め作成した４種に分類された皮膚タイプのいずれかに分類されるか確定する皮膚タイプ確定ステップと、を含み、
前記４種類に分類された皮膚タイプは複数の被験者の紅斑初期値及び血管反応性の測定値と皮膚特性との相関に基づいて分類されたものである、
皮膚分類方法。
２）使用者の皮膚特性を前記使用者の紅斑初期値及び血管反応性に基づいて分析して前記使用者に適した化粧品を推薦する化粧品の推薦方法であって、
前記使用者の前記紅斑初期値及び前記血管反応性をそれぞれ測定する測定ステップと、
測定した前記紅斑初期値及び前記血管反応性の数値に基づいて、予め作成した４種に分類された皮膚タイプのいずれかに分類されるか確定する皮膚タイプ確定ステップと、
前記分類した皮膚タイプに基づき、前記使用者に適した化粧品を推薦する化粧品推薦ステップと、を含み、
前記４種類に分類された皮膚タイプは複数の被験者の紅斑初期値及び血管反応性の測定値と皮膚特性との相関に基づいて分類されたものである、
化粧品の推薦方法。
３）使用者に自身の皮膚タイプを前記使用者の紅斑初期値及び血管反応性に基づいて表示するための皮膚分類カードであって、
前記皮膚分類カードの一方の面に予め作成した４種に分類された皮膚タイプが表示されており、
前記使用者は、前記紅斑初期値及び前記血管反応性をそれぞれ測定し、測定した前記紅斑初期値及び前記血管反応性の数値に基づいて、前記４種に分類された皮膚タイプのいずれかに分類されるか確定し、
前記４種類に分類された皮膚タイプは複数の被験者の紅斑初期値及び血管反応性の測定値と皮膚特性との相関に基づいて分類されたものである、
皮膚分類カード。
【発明の効果】
【０００８】
本発明によれば、使用者に適したスキンケアや皮膚美容を簡単且つ快速に提供することができる皮膚分類方法、化粧品の推薦方法及び皮膚分類カードが提供される。
【図面の簡単な説明】
【０００９】
【図１】４名の被験者のそれぞれから測定した５つの紅斑値をプロットしたグラフである。
【図２】紅斑初期値を横軸とし、血管反応性を縦軸とし、（２９０．４、５５．６）を原点とし、直交座標系を設定した図である。
【図３】本実施形態に係る皮膚分類カードの表面（一方の面）を示す図である。
【図４】本実施形態に係る皮膚分類カードの裏面（他方の面）を示す図である。
【図５】本実施形態に係る皮膚分類方法を示すフロー図である。
【図６】本実施形態に係る化粧品の推薦方法を示すフロー図である。
【図７】紅斑初期値及び血管反応性の測定値とメラニン色素含量との関係を示す図である。
【図８】紅斑初期値及び血管反応性の測定値とヘモグロビン含量との関係を示す図である。
【図９】紅斑初期値及び血管反応性の測定値と経表皮水分蒸散量との関係を示す図である。
【図１０】紅斑初期値及び血管反応性の測定値と皮脂分泌量（カジュアル皮脂量）との関係を示す図である。
【図１１】紅斑初期値及び血管反応性の測定値と皮脂分泌量（回復皮脂分泌量）との関係を示す図である。
【図１２】紅斑初期値及び血管反応性の測定値と皮膚弾性との関係を示す図である。
【図１３】斑初期値及び血管反応性の測定値と皮膚の色との関係を示す図である。
【図１４】紅斑初期値及び血管反応性の測定値と皮膚の色との関係を示す図である。
【図１５】紅斑初期値及び血管反応性の測定値と皮膚の色との関係を示す図である。
【発明を実施するための形態】
【００１０】
本発明に係る皮膚分類方法は、使用者の皮膚特性を前記使用者の紅斑初期値及び血管反応性に基づいて分類する皮膚分類方法であって、前記使用者の前記紅斑初期値及び前記血管反応性をそれぞれ測定する測定ステップと、測定した前記紅斑初期値及び前記血管反応性の数値に基づいて、予め作成した４種に分類された皮膚タイプのいずれかに分類されるか確定する皮膚タイプ確定ステップとを含み、前記４種類に分類された皮膚タイプが複数の被験者の紅斑初期値及び血管反応性の測定値と皮膚特性との相関に基づいて分類されたものである。
【００１１】
上記の皮膚分類方法によれば、従来のようにメラニン色素含量、ヘモグロビン含量、経表皮水分蒸散量、 角質層水分含量、カジュアル皮脂量、回復皮脂分泌量、皮膚弾性、皮膚の色という各種のパラメータを測定する必要がなく、紅斑初期値及び血管反応性という２つのパラメータのみによって、皮膚タイプを簡単且つ快速に確定することができる。
【００１２】
また、上記の皮膚分類方法において、前記皮膚特性がメラニン色素含量、ヘモグロビン含量、経表皮水分蒸散量、角質層水分含量、カジュアル皮脂量、回復皮脂分泌量、皮膚弾性、皮膚の色であることが好ましい。
【００１３】
また、上記の皮膚分類方法において、前記測定ステップでは、皮膚メラニン色素・ヘモグロビン計測機器によって前記使用者の皮膚を複数回押し、一回毎に押した後の紅斑値を測定し、測定した複数の紅斑値の最小値を前記紅斑初期値と定義し、測定した複数の紅斑値の最大値と最小値との差を前記血管反応性と定義することが好ましい。これにより、皮膚メラニン色素・ヘモグロビン計測機器によって被験者の皮膚を複数回押し、一回毎に押した後の紅斑値を測定し、測定した複数の紅斑値の最小値を紅斑初期値と定義し、測定した複数の紅斑値の最大値と最小値との差を血管反応性と定義することにより、紅斑初期値及び血管反応性という２つのパラメータを容易に得ることができ、それにより、皮膚タイプをさらに簡単且つ快速に確定することができる。
【００１４】
また、上記の皮膚分類方法において、前記測定ステップにおいて、皮膚メラニン色素・ヘモグロビン計測機器によって押される部位は、額、鼻翼、顔、口元、首部から選ばれる少なくとも任意の一つの部位であることが好ましい。
【００１５】
本発明に係る化粧品の推薦方法は、使用者の皮膚特性を前記使用者の紅斑初期値及び血管反応性に基づいて分析して前記使用者に適した化粧品を推薦する化粧品の推薦方法であって、前記使用者の前記紅斑初期値及び前記血管反応性をそれぞれ測定する測定ステップと、測定した前記紅斑初期値及び前記血管反応性の数値に基づいて、予め作成した４種に分類された皮膚タイプのいずれかに分類されるか確定する皮膚タイプ確定ステップと、前記分類した皮膚タイプに基づき、前記使用者に適した化粧品を推薦する化粧品推薦ステップと、を含み、前記４種類に分類された皮膚タイプが複数の被験者の紅斑初期値及び血管反応性の測定値と皮膚特性との相関に基づいて分類されたものである。
【００１６】
上記の化粧品の推薦方法によれば、従来のようにメラニン色素含量、ヘモグロビン含量、経表皮水分蒸散量、 角質層水分含量、カジュアル皮脂量、回復皮脂分泌量、皮膚弾性、皮膚の色といった各種のパラメータを測定する必要がなく、紅斑初期値及び血管反応性という２つのパラメータのみによって、使用者に適した化粧品を簡単且つ快速に推薦することができる。
【００１７】
上記の化粧品の推薦方法において、前記皮膚特性がメラニン色素含量、ヘモグロビン含量、経表皮水分蒸散量、角質層水分含量、カジュアル皮脂量、回復皮脂分泌量、皮膚弾性、皮膚の色であることが好ましい。
【００１８】
上記の化粧品の推薦方法において、前記測定ステップでは、皮膚メラニン色素・ヘモグロビン計測機器によって前記使用者の皮膚を複数回押し、一回毎に押した後の紅斑値を測定し、測定した複数の紅斑値の最小値を前記紅斑初期値と定義し、測定した複数の紅斑値の最大値と最小値との差を前記血管反応性と定義することが好ましい。
【００１９】
上記の化粧品の推薦方法において、前記測定ステップにおいて、皮膚メラニン色素・ヘモグロビン計測機器によって押される部位は、額、鼻翼、顔、口元、首部から選ばれる少なくとも任意の一つの部位であることが好ましい。
【００２０】
本発明に係る皮膚分類カードは、使用者に自身の皮膚タイプを前記使用者の紅斑初期値及び血管反応性に基づいて表示するための皮膚分類カードであって、前記皮膚分類カードの一方の面に予め作成した４種に分類された皮膚タイプが表示されており、前記使用者は、前記紅斑初期値及び前記血管反応性をそれぞれ測定し、測定した前記紅斑初期値及び前記血管反応性の数値に基づいて、前記４種に分類された皮膚タイプのいずれかに分類されるか確定し、前記４種類に分類された皮膚タイプが複数の被験者の紅斑初期値及び血管反応性の測定値と皮膚特性との相関に基づいて分類されたものである。
【００２１】
上記の皮膚分類カードにおいて、前記皮膚分類カードの一方の面又は他方の面に「第１の皮膚タイプ：メラニン色素含量及びヘモグロビン含量が大きい、皮膚弾性が低い、皮膚の色が暗紅色である；第２の皮膚タイプ：メラニン色素含量及びヘモグロビン含量が小さい、経表皮水分蒸散量が小さい、皮脂分泌量が小さい、皮膚弾性が高い；第３の皮膚タイプ：メラニン色素含量及びヘモグロビン含量が小さい、皮膚の色がライトイエローである；第４の皮膚タイプ：メラニン色素含量及びヘモグロビン含量が大きい、経表皮水分蒸散量が小さい、皮脂分泌量が大きい、皮膚弾性が低い」と表示されていることが好ましい。
【００２２】
以下、図面を参照して、本発明の実施形態について詳細に説明する。なお、各図面において同一又は対応する部分に対しては同一の符号を附すこととする。
【００２３】
まず、図１〜図２を参照して、本発明の皮膚分類方法、化粧品の推薦方法及び皮膚分類カードの基本となる、紅斑値の測定に基づく紅斑初期値と血管反応性の測定法、及び、測定した紅斑初期値と血管反応性と種々の皮膚タイプとの相関を求め、皮膚タイプを4種類に分類する方法について説明する。
【００２４】
本発明に用いる装置は非接触型のプローブを用いて皮膚の紅斑値を測定できるものが好ましい。特に皮膚メラニン色素ヘモグロビン測定器が好ましい。この様な測定器としてはＭｅｘａｍｅｔｅｒ（Courage + Khazaka electronic GmbH製：商標）が例示される。
皮膚メラニン色素・ヘモグロビン計測器Ｍｅｘａｍｅｔｅｒによって紅斑値を測定するに際しては、３００名以上の被験者により紅斑値及び各種皮膚のパラメータを測定することが好ましい。統計学上の誤差を防ぐためには、距離の離れた複数の都市から均等に被験者を集めることが好ましい。都市の例としては、上海、北京、広州があげられる。各都市から１００名以上の被験者を集めることが好ましい。被験者は年齢は18歳から39歳の間の女性が好ましい。各年代の被験者の人数は均等であることが好ましい。
【００２５】
次に、２２±２℃の室温及び５０±１０％の湿度において、皮膚メラニン色素・ヘモグロビン計測機器Ｍｅｘａｍｅｔｅｒを利用して被験者の皮膚を複数回（回数は３回以上が好ましく、４回以上がさらに好ましく、５回が特に好ましい）押し、一回毎に押した後の紅斑値を測定する。測定する箇所は顔が好ましく、額、鼻翼、顔、口元、首部から選ばれる少なくとも任意の一つの部位であることが好ましい。
【００２６】
図１は、代表的な４名の被験者について、その皮膚を各５回押した後にそれぞれ測定された５つの紅斑値の例を示している。図１に示されるように、各被験者の皮膚を５回押した後の５つの紅斑値は、異なる折れ線で変化する。次に、各被験者について、測定した５つの紅斑値の最小値を紅斑初期値と係る定義し、測定した５つの紅斑値の最大値と最小値との差を血管反応性と定義することにより、全被験者の紅斑初期値及び血管反応性を得る。
【００２７】
次に、図２に示されるように、紅斑初期値を横軸とし、血管反応性を縦軸とする直交座標を作成する。なお、座標の原点は被験者の紅斑初期値の平均値と血管反応性の平均値である。この直交座標により、被験者の皮膚タイプは紅斑初期値と血管反応性の測定値により、４つに分類される。本明細書においては、該直交座標系の第１象限Ｑ１を第１の皮膚タイプと定義し、第２象限Ｑ２を第２の皮膚タイプと定義し、第３象限Ｑ３を第３の皮膚タイプと定義し、第４象限Ｑ４を第４の皮膚タイプと定義する。
【００２８】
次に、各種の従来の計測機器を利用して皮膚生理パラメータであるメラニン色素含量、ヘモグロビン含量、経表皮水分蒸散量、角質層水分含量、カジュアル皮脂量、回復皮脂分泌量、皮膚弾性、皮膚の色という各種のパラメータをそれぞれ測定する。
【００２９】
後述実施例に示すように、本願の発明者らは、紅斑初期値及び血管反応性によって区分された皮膚タイプと被験者の皮膚特性（具体的に、メラニン色素含量、ヘモグロビン含量、経表皮水分蒸散量、角質層水分含量、カジュアル皮脂量、回復皮脂分泌量、皮膚弾性、皮膚の色など）との間に相関性があることを発見した。
【００３０】
具体的には、該相関性は、第１の皮膚タイプ及び第４の皮膚タイプの皮膚のメラニン色素含量及びヘモグロビン含量が、第２の皮膚タイプ及び第３の皮膚タイプの皮膚のメラニン色素含量及びヘモグロビン含量よりも大きく、第２の皮膚タイプの皮膚の経表皮水分蒸散量が、第４の皮膚タイプの皮膚の経表皮水分蒸散量よりも小さく、第２の皮膚タイプ及び第３の皮膚タイプの皮膚の皮脂分泌量が、第４の皮膚タイプの皮膚の皮脂分泌量よりも小さく、第２の皮膚タイプの皮膚の皮膚弾性が、第１の皮膚タイプ、第３の皮膚タイプ及び第４の皮膚タイプの皮膚の皮膚弾性よりも大きく、第１の皮膚タイプの皮膚の色が暗紅色であり、第３の皮膚タイプの皮膚の色がライトイエローである。言い換えれば、第１〜第４の皮膚タイプの特性は「第１の皮膚タイプ：メラニン色素含量及びヘモグロビン含量が大きい、皮膚弾性が低い、皮膚の色が暗紅色である；第２の皮膚タイプ：メラニン色素含量及びヘモグロビン含量が小さい、経表皮水分蒸散量が小さい、皮脂分泌量が小さい、皮膚弾性が高い；第３の皮膚タイプ：メラニン色素含量及びヘモグロビン含量が小さい、皮膚の色がライトイエローであり、皮脂分泌量が小さい；第４の皮膚タイプ：メラニン色素含量及びヘモグロビン含量が大きい、経表皮水分蒸散量が大きい、皮脂分泌量が大きい、皮膚弾性が低い」となる。測定した被験者の斑初期値及び血管反応性の測定値がどの分類に属するかを判断することで被験者の皮膚タイプを確定する。
【００３１】
以下、図３〜図４を参照して、本実施形態に係る皮膚分類カード１を説明する。図３は、本実施形態にかかる皮膚分類カードの表面（一方の面）を示す図である。図４は、本実施形態に係る皮膚分類カードの裏面（他方の面）を示す図である。
図３及び図４に示されるように、皮膚分類カード１は、使用者の紅斑初期値及び血管反応性に基づいて該使用者に自身の皮膚タイプを表示するための皮膚分類カードである。
皮膚分類カード１の表面（一方の面）Ｓ１に、直交座標系２が描かれており、直交座標系２において、横軸Ｘは紅斑初期値を表し、縦軸Ｙは血管反応性を表し、原点の座標は３００名以上の被験者を測定した紅斑初期値の平均値と血管反応性の平均値（後述の実施例では２９０．４、５５．６）であり、第１象限Ｑ１は第１の皮膚タイプを表し、第２象限Ｑ２は第２の皮膚タイプを表し、第３象限Ｑ３は第３の皮膚タイプを表し、第４象限Ｑ４は第４の皮膚タイプを表している。第１象限Ｑ１において、紅斑初期値が高く、血管反応性が高い。第２象限Ｑ２において、紅斑初期値が低く、血管反応性が高い。第３象限Ｑ３において、紅斑初期値が低く、血管反応性が低い。第４象限Ｑ４において、紅斑初期値が高く、血管反応性が低い。そのような皮膚分類カードによれば、使用者に自身の皮膚タイプを簡単且つ快速に表示することができる。
【００３２】
また、本実施形態では、皮膚分類カード１の裏面（他方の面）Ｓ２に、「第１の皮膚タイプ：メラニン色素含量及びヘモグロビン含量が大きい、皮膚弾性が低い、皮膚の色が暗紅色である；第２の皮膚タイプ：メラニン色素含量及びヘモグロビン含量が小さい、経表皮水分蒸散量が小さい、皮脂分泌量が小さい、皮膚弾性が高い；第３の皮膚タイプ：メラニン色素含量及びヘモグロビン含量が小さい、皮膚の色がライトイエローであり、皮脂分泌量が小さい；第４の皮膚タイプ：メラニン色素含量及びヘモグロビン含量が大きい、経表皮水分蒸散量が大きい、皮脂分泌量が大きい、皮膚弾性が低い」と記載されていることが好ましい。そのような皮膚分類カードによれば、使用者が自身の皮膚特性を自身の皮膚タイプに基づいて簡単且つ快速に探し出すことが可能になる。
【００３３】
図３と図４の実施形態ではカードの一面（表面）に直交座標系、他の面（裏面）に皮膚タイプの分類が印刷されているが、別の実施形態では、直交座標系と皮膚タイプが同一面（表面又は裏面）に印刷されていても良い。また、他の実施形態では直交座標系の印刷されたカードと皮膚タイプの印刷されたカードの２枚のカードから構成されていても良い。
【００３４】
以下、図５を参照して、本実施形態に係る皮膚分類方法を説明する。
図５は、本実施形態に係る皮膚分類方法を示すフロー図である。該皮膚分類方法は、被験者の皮膚特性を被験者の紅斑初期値及び血管反応性に基づいて分類する皮膚分類方法であって、使用者の紅斑初期値及び血管反応性をそれぞれ測定する測定ステップＳ１と、前述の複数の被験者の紅斑初期値及び血管反応性の測定値と皮膚特性との相関に基づいて分類された皮膚タイプのどのタイプに分類されるかを確定する皮膚タイプ確定ステップS２と、を含む。ステップS２においては、測定値を前述の皮膚分類カードに基づいて皮膚タイプを確定することができる。また、紅斑初期値及び血管反応性によって区分された皮膚タイプと被験者の皮膚特性（具体的に、メラニン色素含量、ヘモグロビン含量、経表皮水分蒸散量、角質層水分含量、カジュアル皮脂量、回復皮脂分泌量、皮膚弾性、皮膚の色など）との間の相関データをたとえばコンピュータの記憶媒体に収容し、被験者の紅斑初期値及び血管反応性の測定値を入力することで皮膚タイプを確定することもできる。例えば確定された皮膚タイプは直交座標系とともにコンピュータのモニタ上に映し出すことができる。また、確定された皮膚タイプを紙等の印刷媒体に印刷することもできる。なお、本発明の皮膚分類方法は例えば、化粧品会社の研究開発で使用したり、化粧品販売時の販売促進のために使用される。しかし、本発明の皮膚分類方法には医師による診断又は治療行為は含まれない。
【００３５】
以下、図６を参照して、本実施形態に係る化粧品の推薦方法を説明する。
図６は、本実施形態に係る化粧品の推薦方法を示すフロー図である。該化粧品の推薦方法は、使用者の皮膚特性を分析して使用者に適した化粧品を推薦する化粧品の推薦方法であって、使用者の紅斑初期値及び血管反応性をそれぞれ測定する測定ステップＳ１０と、測定した前記紅斑初期値と及び前記血管反応性の数値に基づいて、前述の４種に分類された皮膚タイプのいずれかに分類されるか確定する皮膚タイプ確定ステップＳ２０と、前記分類した皮膚タイプに基づき、前記使用者に適した化粧品を推薦する化粧品推薦ステップＳ３０と、を含む。上記の化粧品の推薦方法によれば、従来のようにメラニン色素含量、ヘモグロビン含量、経表皮水分蒸散量、角質層水分含量、カジュアル皮脂量、回復皮脂分泌量、皮膚弾性、皮膚の色という各種のパラメータを測定する必要がなく、紅斑初期値及び血管反応性という２つのパラメータのみによって、使用者に適した化粧品を簡単且つ快速に推薦することができる。
【００３６】
また、本実施形態に係る化粧品の推薦方法では、測定ステップにおいて、皮膚メラニン色素・ヘモグロビン計測機器Ｍｅｘａｍｅｔｅｒによって被験者の皮膚を複数回押し、一回毎に押した後の紅斑値を測定し、測定した複数の紅斑値の最小値を紅斑初期値と定義し、測定した複数の紅斑値の最大値と最小値との差を血管反応性と定義することが好ましい。こうすることにより、皮膚メラニン色素・ヘモグロビン計測機器Ｍｅｘａｍｅｔｅｒによって被験者の皮膚を複数回押し、一回毎に押した後の紅斑値を測定し、測定した複数の紅斑値の最小値を紅斑初期値と定義し、測定した複数の紅斑値の最大値と最小値との差を血管反応性と定義することにより、紅斑初期値及び血管反応性という２つのパラメータを容易に得ることができ、それにより、皮膚のタイプをさらに簡単且つ快速に確定することができる。
【００３７】
また、本実施形態に係る化粧品の推薦方法では、測定ステップにおいて、皮膚メラニン色素・ヘモグロビン計測機器Ｍｅｘａｍｅｔｅｒによって押される部位は、額、鼻翼、顔、口元、首部から選ばれる少なくとも任意の一つの部位であることが好ましい。
【００３８】
化粧品の推薦方法とは例えば、化粧品の対面販売などにおいて、販売員が本発明の方法を用いて顧客の皮膚タイプを判断し、顧客に適した化粧品を推薦することである。従って、病院等で医師が患者の皮膚タイプを判断し、化粧品を推薦することは含まない、なぜならこの様な行為は診断又は治療行為に該当するからである。
【００３９】
推薦される化粧品としては、第１のタイプであれば美白作用を有する化粧料、第２のタイプであれば血行促進作用を有する化粧料、第３のタイプであれば（炭酸のような）連用によって血管応答性の改善が期待される化粧料、第４のタイプであれば保湿作用や皮脂吸収能をもつ紛体配合化粧料である。炭酸製剤を第３のタイプに適用する理由は、炭酸は単回使用での血行促進作用と連続使用することで血管の応答性が改善することが知られているからである。
【００４０】
本発明に係る皮膚分類方法、化粧品の推薦方法及び皮膚分類カードの実施形態において、中国、日本、台湾、韓国など東アジアの国においては以下の実施例にて取得した３１２名の結果を基にした分類を使用することができる。また、新たに国や地域ごとに被験者を集めて紅斑初期値及び血管反応性と各種パラメータを測定して、新たな分類を作成しても良い。
以上、本発明に係る皮膚分類方法、化粧品の推薦方法及び皮膚分類カードの実施形態を説明したが、本発明は上記の本実施形態に限定されることなく、本発明の趣旨を逸脱しない範囲で種々の変形が可能である。
【実施例】
【００４１】
以下、実施例として、３１２名の被験者の紅斑初期値及び血管反応性の測定値、同被験者の前記皮膚特性はメラニン色素含量、ヘモグロビン含量、経表皮水分蒸散量、角質層水分含量、カジュアル皮脂量、回復皮脂分泌量、皮膚弾性、皮膚の色等を測定した結果、相関があることを示し、分類を作成したという実施例が例示されている。
ここで、３００名以上の被験者を測定した紅斑初期値の平均値と血管反応性の平均値はそれぞれ２９０．４、５５．６である。
【００４２】
実施例１（紅斑初期値及び血管反応性の測定値とメラニン色素含量との関係）
まず、被験者に本測定の目的、内容及び測定プロセスを説明する。次に、室内は２２±２℃の室温、５０±１０％の湿度を保持する。次に、洗顔料で顔を洗い、ティッシュペーパー（日本製紙ＣＲＥＣＩＡ株式会社製）できれいに拭く。次に、３０分間部屋の環境に馴化させる。次に、メラニン色素とヘモグロビン含量測定プローブMexameter MX18を多機能性皮膚測定器MPA5（ドイツCourage+Khazaka electronic GmbH社製）に接続させ、測定部位である左頬を５回測定し、その平均値をメラニン色素含量の値とする。
【００４３】
図７は、紅斑初期値及び血管反応性の測定値とメラニン色素含量との関係を示す図である。ここで、図７において、横軸は象限（皮膚タイプ）を示し、縦軸はメラニン色素含量を示す。
図７に示されるように、第１の皮膚タイプ及び第４の皮膚タイプの皮膚のメラニン色素含量が、第２の皮膚タイプ及び第３の皮膚タイプの皮膚のメラニン色素含量よりも大きい。
【００４４】
実施例２（紅斑初期値及び血管反応性の測定値とヘモグロビン含量との関係）
まず、被験者に本測定の目的、内容及び測定プロセスを説明する。次に、室内は２２±２℃の室温、５０±１０％の湿度を保持する。次に、洗顔料で顔を洗い、ティッシュペーパー(日本製紙CRECIA株式会社製)できれいに拭く。次に、３０分間部屋の環境に馴化させる。次に、メラニン色素とヘモグロビン含量測定プローブMexameter MX18を多機能性皮膚測定器MPA5（ドイツCourage+Khazaka electronic GmbH社製）に接続させ、測定部位である左頬を５回測定し、その平均値をヘモグロビン含量の値とする。
【００４５】
図８は、紅斑初期値及び血管反応性の測定値とヘモグロビン含量との関係を示す図である。ここで、図８において、横軸は象限（皮膚タイプ）を示し、縦軸はヘモグロビン含量を示す。
図８に示されるように、第１の皮膚タイプ及び第４の皮膚タイプの皮膚のヘモグロビン含量が、第２の皮膚タイプ及び第３の皮膚タイプの皮膚のヘモグロビン含量よりも大きい。
【００４６】
実施例３（紅斑初期値及び血管反応性の測定値と経表皮水分蒸散量との関係）
まず、被験者に本測定の目的、内容及び測定プロセスを説明する。次に、室内は２２±２℃の室温、５０±１０％の湿度を保持する。次に、洗顔料で顔を洗い、ティッシュペーパー（日本製紙ＣＲＥＣＩＡ株式会社製）できれいに拭く。次に、３０分間部屋の環境に馴化させる。次に、皮膚水分流失測定プローブTewameter TM300を多機能性皮膚測定器MPA5（ドイツCourage+Khazaka electronic GmbH社製）に接続させ、測定部位である右側の鼻翼を測定し、経表皮水分蒸散量の値を得る。
【００４７】
図９は、紅斑初期値及び血管反応性の測定値と経表皮水分蒸散量との関係を示す図である。ここで、図９において、横軸は象限（皮膚タイプ）を示し、縦軸は経表皮水分蒸散量を示す。
図９に示されるように、第２の皮膚タイプの皮膚の経表皮水分蒸散量が、第４の皮膚タイプの皮膚の経表皮水分蒸散量よりも小さい。
【００４８】
実施例４（紅斑初期値及び血管反応性の測定値と皮脂分泌量との関係）
まず、被験者に本測定の目的、内容及び測定プロセスを説明する。次に、室内は２２±２℃の室温、５０±１０％の湿度を保持する。次に、皮脂測定プローブSebumeter SM815を多機能性皮膚測定器MPA5（ドイツCourage+Khazaka electronic GmbH社製）に接続させ、顔を洗う前に、測定部位である左側の鼻翼を測定し、皮脂分泌量（カジュアル皮脂量）の値を得る。次に、洗顔料で顔を洗い、ティッシュペーパー(日本製紙CRECIA株式会社製)できれいに拭く。次に、皮脂測定プローブSebumeter SM815を多機能性皮膚測定器MPA5（ドイツCourage+Khazaka electronic GmbH社製）に接続させ、顔を洗った後、測定部位である左側の鼻翼を測定し、皮脂分泌量（回復皮脂分泌量）の値を得る。
【００４９】
図１０は、紅斑初期値及び血管反応性の測定値とカジュアル皮脂量との関係を示す図である。ここで、図１０において、横軸は象限（皮膚タイプ）を示し、縦軸はカジュアル皮脂量を示す。
図１０に示されるように、第２の皮膚タイプ及び第３の皮膚タイプの皮膚のカジュアル皮脂量が、第４の皮膚タイプの皮膚のカジュアル皮脂量よりも小さい。
【００５０】
図１１は、紅斑初期値及び血管反応性の測定値と回復皮脂分泌量との関係を示す図である。ここで、図１１において、横軸は象限（皮膚タイプ）を示し、縦軸は回復皮脂分泌量を示す。
図１１に示されるように、第２の皮膚タイプ及び第３の皮膚タイプの皮膚の回復皮脂分泌量が、第４の皮膚タイプの皮膚の回復皮脂分泌量よりも小さい。
カジュアル皮脂量及び回復皮脂分泌量の特性が皮脂分泌量の特性と一致しているので、第２の皮膚タイプ及び第３の皮膚タイプの皮膚の皮脂分泌量が、第４の皮膚タイプの皮膚の皮脂分泌量よりも小さい。
【００５１】
実施例５（紅斑初期値及び血管反応性の測定値と皮膚弾性との関係）
まず、被験者に本測定の目的、内容及び測定プロセスを説明する。次に、室内は２２±２℃の室温、５０±１０％の湿度を保持する。次に、洗顔料で顔を洗い、ティッシュペーパー(日本製紙CRECIA株式会社製)できれいに拭く。次に、３０分間部屋の環境に馴化させる。次に、皮膚弾性測定器Cutometer MPA580（ドイツCourage+Khazaka electronic GmbH社製）で測定部位である右頬を測定し、皮膚弾性の値を得る。
図１２は、紅斑初期値及び血管反応性の測定値と皮膚弾性との関係を示す図である。ここで、図１２において、横軸は象限（皮膚タイプ）を示し、縦軸は皮膚弾性を示す。
図１２に示されるように、第２の皮膚タイプの皮膚の皮膚弾性が、第１の皮膚タイプ、第３の皮膚タイプ及び第４の皮膚タイプの皮膚の皮膚弾性よりも大きい。
【００５２】
実施例６（紅斑初期値及び血管反応性の測定値と皮膚の色との関係）
まず、被験者に本測定の目的、内容及び測定プロセスを説明する。次に、室内は２２±２℃の室温、５０±１０％の湿度を保持する。次に、洗顔料で顔を洗い、ティッシュペーパー(日本製紙CRECIA株式会社製)できれいに拭く。次に、３０分間部屋の環境に馴化させる。次に、分光光度計CM2500d（日本KONICA MINOLTA社製）で測定部位である左頬を測定し、皮膚の色を表すL＊a＊b*値を得る。
【００５３】
図１３は、紅斑初期値及び血管反応性の測定値と皮膚の色との関係を示す図である。ここで、図１３において、横軸は象限（皮膚タイプ）を示し、縦軸は紅度（a値）を示す。縦軸について、上方ほど、紅度が高い。
【００５４】
図１４は、紅斑初期値及び血管反応性の測定値と皮膚の色との関係を示す図である。ここで、図１４において、横軸は象限（皮膚タイプ）を示し、縦軸は黄度（b値）を示す。縦軸について、上方ほど、黄度が高い。
【００５５】
図１５は、紅斑初期値及び血管反応性の測定値と皮膚の色との関係を示す図である。ここで、図１５において、横軸は象限（皮膚タイプ）を示し、縦軸は明度（L値）を示す。縦軸について、上方ほど、明度が高い。
【００５６】
図１３、図１４及び図１５に示されるように、第１の皮膚タイプの皮膚の色が暗紅色であり、第３の皮膚タイプの皮膚の色がライトイエローである。
【図１】
2015198909.tif 000002
【図２】
2015198909.tif 000003
【図３】
2015198909.tif 000004
【図４】
2015198909.tif 000005
【図５】
2015198909.tif 000006
【図６】
2015198909.tif 000007
【図７】
2015198909.tif 000008
【図８】
2015198909.tif 000009
【図９】
2015198909.tif 000010
【図１０】
2015198909.tif 000011
【図１１】
2015198909.tif 000012
【図１２】
2015198909.tif 000013
【図１３】
2015198909.tif 000014
【図１４】
2015198909.tif 000015
【図１５】
2015198909.tif 000016